(57)【要約】      （修正有）【課題】荷受人に便利な荷物受取方法を提供する。【解決手段】  ロッカー装置１００は、通信ラインを介した荷受人側移動通信機器２００からの施錠命令に基づいてロッカー基本利用料金を荷受人側移動通信機器２００に請求して受領した後に、ロッカーの施錠を行うと共に、鍵情報を荷受人側移動通信機器２００に通信ラインを介して送信する。通信ラインを介した荷受人側移動通信機器２００からの鍵情報を伴うロッカーの解錠命令を受信して鍵情報が合格である場合にはロッカー精算利用料金を荷受人側移動通信機器２００に通信ラインを介して請求する。ロッカー装置１００は、通信ラインを介した荷主側移動通信機器３００からのワンタイム鍵情報を伴うロッカーの解錠命令に基づいても一回限りのロッカーの解錠を行うと共に、通信ラインを介した荷主側移動通信機器３００からのワンタイム鍵情報を伴うロッカーの施錠命令に基づいても一回限りのロッカーの施錠を行う。【選択図】  図２
2005267565.tif 000002
【特許請求の範囲】
【請求項１】
利用が有料のロッカーを利用して荷物授受を行うためのロッカー利用荷物授受プログラムにおいて、
施錠／解錠が可能な利用が有料のロッカー装置（１００）と、荷受人側が使用する荷受人側移動通信機器（２００）と、荷主側が使用する荷主側移動通信機器（３００）とを有し、前記荷受人側移動通信機器（２００）と前記荷主側移動通信機器（３００）とは、遠距離通信網を介して通信可能であり、前記ロッカー装置（１００）と前記荷受人側移動通信機器（２００）および前記荷主側移動通信機器（３００）のそれぞれとは、近距離通信ラインを介して通信可能であるシステムに適用されるロッカー利用荷物授受プログラムであって、
前記ロッカー装置（１００）に適用される構成としては、
前記近距離通信ラインを介した前記荷受人側移動通信機器（２００）からのロッカーの施錠命令に基づいて、該荷受人側移動通信機器（２００）に、ロッカー基本利用料金を、前記近距離通信ラインを介して請求する基本料金請求部（４）と、
前記近距離通信ラインを介した前記荷受人側移動通信機器（２００）からの決済情報を受信すると共に、決済するロッカー側決済部（７）と、
前記ロッカー側決済部（７）からの決済報告に基づいて、ロッカーの施錠を行う施錠部（２）と、
前記施錠部（２）からの施錠報告に基づいて、解錠の許可判断用の鍵情報を、前記荷受人側移動通信機器（２００）に前記近距離通信ラインを介して送信する鍵情報送信部（３）と、
前記近距離通信ラインを介した前記荷受人側移動通信機器（２００）からの前記鍵情報を伴うロッカーの解錠命令を受信し、該鍵情報が合格である場合に、施錠から解錠までの全利用時間に基づくロッカー総利用額から前記ロッカー基本利用料金を差し引いてロッカー精算利用料金を算出すると共に、前記解錠要求を行った前記荷受人側移動通信機器（２００）に、該ロッカー精算利用料金を、前記近距離通信ラインを介して請求する精算料金請求部（６）と、
前記ロッカー側決済部（７）からの決済報告に基づいて、ロッカーの解錠を行う解錠部（５）とを有し、
前記解錠部（５）は、前記近距離通信ラインを介した前記荷主側移動通信機器（３００）からの、前記鍵情報を加工して成る一回限りの解錠および一回限りの施錠の許可判断用のワンタイム鍵情報を伴うロッカーの解錠命令に基づいて、一回限りのロッカーの解錠をさらに行うものであり、
前記施錠部（２）は、前記近距離通信ラインを介した前記荷主側移動通信機器（３００）からの前記ワンタイム鍵情報を伴うロッカーの施錠命令に基づいて、一回限りのロッカーの施錠をさらに行うものであることを特徴とするロッカー利用荷物授受プログラム。
【請求項２】
利用が有料のロッカーを利用して荷物授受を行うためのロッカー利用荷物授受プログラムにおいて、
施錠／解錠が可能な利用が有料のロッカー装置（１００）と、荷受人側が使用する荷受人側移動通信機器（２００）と、荷主側が使用する荷主側移動通信機器（３００）とを有し、前記荷受人側移動通信機器（２００）と前記荷主側移動通信機器（３００）とは、遠距離通信網を介して通信可能であり、前記ロッカー装置（１００）と前記荷受人側移動通信機器（２００）および前記荷主側移動通信機器（３００）のそれぞれとは、近距離通信ラインを介して通信可能であるシステムに適用されるロッカー利用荷物授受プログラムであって、
前記荷受人側移動通信機器（２００）に適用される構成としては、
前記ロッカー装置（１００）に対して、施錠命令および解錠命令を前記近距離通信ラインを介して送信可能なロッカー制御部（９）と、
前記近距離通信ラインを介して前記ロッカー装置（１００）から請求されたロッカー基本利用料金およびロッカー精算利用料金を決済すると共に、当該決済報告を前記ロッカー装置（１００）に前記近距離通信ラインを介して送信する機器側決済部（１３）と、
前記近距離通信ラインを介して前記ロッカー装置（１００）から解錠の許可判断用の鍵情報を受信すると、該鍵情報を加工してなる一回限りの解錠および一回限りの施錠の許可判断用のワンタイム鍵情報を生成するワンタイム鍵情報生成部（１１）と、
ワンタイム鍵情報生成部（１１）が生成した前記ワンタイム鍵情報と前記ロッカー装置（１００）の位置情報を、前記荷主側移動通信機器（３００）に前記遠距離通信網を介して送信するワンタイム鍵情報送信部（１２）とを有することを特徴とするロッカー利用荷物授受プログラム。
【請求項３】
利用が有料のロッカーを利用して荷物授受を行うためのロッカー利用荷物授受プログラムにおいて、
施錠／解錠が可能な利用が有料のロッカー装置（１００）と、荷受人側が使用する荷受人側移動通信機器（２００）と、荷主側が使用する荷主側移動通信機器（３００）とを有し、前記荷受人側移動通信機器（２００）と前記荷主側移動通信機器（３００）とは、遠距離通信網を介して通信可能であり、前記ロッカー装置（１００）と前記荷受人側移動通信機器（２００）および前記荷主側移動通信機器（３００）のそれぞれとは、近距離通信ラインを介して通信可能であるシステムに適用されるロッカー利用荷物授受プログラムであって、
前記荷主側移動通信機器（３００）に適用される構成としては、
前記荷受人側移動通信機器（２００）から前記ワンタイム鍵情報を前記遠距離通信通信網を介して受信すると共に、前記ロッカー装置（１００）に対して該ワンタイム鍵情報を付加した施錠命令および該ワンタイム鍵情報を付加した解錠命令を前記近距離通信ラインを介して送信可能なワンタイムロッカー制御部（１６）と、
前記ワンタイムロッカー制御部（１６）が前記ロッカー装置（１００）を施錠すると、その旨を前記荷受人側移動通信機器（２００）に前記遠距離通信通信網を介して通知する施錠通知部（１７）とを有することを特徴とするロッカー利用荷物授受プログラム。
【請求項４】
請求項１に記載の前記ロッカー装置（１００）、請求項２に記載の前記荷受人側移動通信機器（２００）、ならびに請求項３に記載の前記荷主側移動通信機器（３００）のうちの少なくともいずれか２つに適用される前記ロッカー利用荷物授受プログラムを有するロッカー利用荷物授受プログラム。
【請求項５】
利用が有料のロッカーを利用して荷物授受を行うためのロッカー利用荷物授受システムに適用されるロッカー装置（１００）において、
施錠／解錠が可能な利用が有料のロッカー装置（１００）と、荷受人側が使用する荷受人側移動通信機器（２００）と、荷主側が使用する荷主側移動通信機器（３００）とを有し、前記荷受人側移動通信機器（２００）と前記荷主側移動通信機器（３００）とは、遠距離通信網を介して通信可能であり、前記ロッカー装置（１００）と前記荷受人側移動通信機器（２００）および前記荷主側移動通信機器（３００）のそれぞれとは、近距離通信ラインを介して通信可能であるシステムに適用されるロッカー装置（１００）であって、
前記近距離通信ラインを介した前記荷受人側移動通信機器（２００）からのロッカーの施錠命令に基づいて、該荷受人側移動通信機器（２００）に、ロッカー基本利用料金を、前記近距離通信ラインを介して請求する基本料金請求部（４）と、
前記近距離通信ラインを介した前記荷受人側移動通信機器（２００）からの決済情報を受信すると共に、決済するロッカー側決済部（７）と、
前記ロッカー側決済部（７）からの決済報告に基づいて、ロッカーの施錠を行う施錠部（２）と、
前記施錠部（２）からの施錠報告に基づいて、解錠の許可判断用の鍵情報を、前記荷受人側移動通信機器（２００）に前記近距離通信ラインを介して送信する鍵情報送信部（３）と、
前記近距離通信ラインを介した前記荷受人側移動通信機器（２００）からの前記鍵情報を伴うロッカーの解錠命令を受信し、該鍵情報が合格である場合に、施錠から解錠までの全利用時間に基づくロッカー総利用額から前記ロッカー基本利用料金を差し引いてロッカー精算利用料金を算出すると共に、前記解錠要求を行った前記荷受人側移動通信機器（２００）に、該ロッカー精算利用料金を、前記近距離通信ラインを介して請求する精算料金請求部（６）と、
前記ロッカー側決済部（７）からの決済報告に基づいて、ロッカーの解錠を行う解錠部（５）とを有し、
前記解錠部（５）は、前記近距離通信ラインを介した前記荷主側移動通信機器（３００）からの、前記鍵情報を加工して成る一回限りの解錠および一回限りの施錠の許可判断用のワンタイム鍵情報を伴うロッカーの解錠命令に基づいて、一回限りのロッカーの解錠をさらに行うものであり、
前記施錠部（２）は、前記近距離通信ラインを介した前記荷主側移動通信機器（３００）からの前記ワンタイム鍵情報を伴うロッカーの施錠命令に基づいて、一回限りのロッカーの施錠をさらに行うものであることを特徴とするロッカー装置（１００）。
【請求項６】
利用が有料のロッカーを利用して荷物授受を行うためのロッカー利用荷物授受システムに適用される荷受人側移動通信機器（２００）において、
施錠／解錠が可能な利用が有料のロッカー装置（１００）と、荷受人側が使用する荷受人側移動通信機器（２００）と、荷主側が使用する荷主側移動通信機器（３００）とを有し、前記荷受人側移動通信機器（２００）と前記荷主側移動通信機器（３００）とは、遠距離通信網を介して通信可能であり、前記ロッカー装置（１００）と前記荷受人側移動通信機器（２００）および前記荷主側移動通信機器（３００）のそれぞれとは、近距離通信ラインを介して通信可能であるシステムに適用される荷受人側移動通信機器（２００）であって、
前記ロッカー装置（１００）に対して、施錠命令および解錠命令を前記近距離通信ラインを介して送信可能なロッカー制御部（９）と、
前記近距離通信ラインを介して前記ロッカー装置（１００）から請求されたロッカー基本利用料金およびロッカー精算利用料金を決済すると共に、当該決済報告を前記ロッカー装置（１００）に前記近距離通信ラインを介して送信する機器側決済部（１３）と、
前記近距離通信ラインを介して前記ロッカー装置（１００）から解錠の許可判断用の鍵情報を受信すると、該鍵情報を加工してなる一回限りの解錠および一回限りの施錠の許可判断用のワンタイム鍵情報を生成するワンタイム鍵情報生成部（１１）と、
ワンタイム鍵情報生成部（１１）が生成した前記ワンタイム鍵情報と前記ロッカー装置（１００）の位置情報を、前記荷主側移動通信機器（３００）に前記遠距離通信網を介して送信するワンタイム鍵情報送信部（１２）とを有することを特徴とする荷受人側移動通信機器（２００）。
【請求項７】
利用が有料のロッカーを利用して荷物授受を行うためのロッカー利用荷物授受システムに適用される荷主側移動通信機器（３００）において、
施錠／解錠が可能な利用が有料のロッカー装置（１００）と、荷受人側が使用する荷受人側移動通信機器（２００）と、荷主側が使用する荷主側移動通信機器（３００）とを有し、前記荷受人側移動通信機器（２００）と前記荷主側移動通信機器（３００）とは、遠距離通信網を介して通信可能であり、前記ロッカー装置（１００）と前記荷受人側移動通信機器（２００）および前記荷主側移動通信機器（３００）のそれぞれとは、近距離通信ラインを介して通信可能であるシステムに適用される荷主側移動通信機器（３００）であって、
前記荷受人側移動通信機器（２００）から前記ワンタイム鍵情報を前記遠距離通信通信網を介して受信すると共に、前記ロッカー装置（１００）に対して該ワンタイム鍵情報を付加した施錠命令および該ワンタイム鍵情報を付加した解錠命令を前記近距離通信ラインを介して送信可能なワンタイムロッカー制御部（１６）と、
前記ワンタイムロッカー制御部（１６）が前記ロッカー装置（１００）を施錠すると、その旨を前記荷受人側移動通信機器（２００）に前記遠距離通信通信網を介して通知する施錠通知部（１７）とを有することを特徴とする荷主側移動通信機器（３００）。
【請求項８】
請求項５に記載の前記ロッカー装置（１００）、請求項６に記載の前記荷受人側移動通信機器（２００）、ならびに請求項７に記載の前記荷主側移動通信機器（３００）のうちの少なくともいずれか２つを有するロッカー利用荷物授受システム。
【請求項９】
利用が有料のロッカーを利用して荷物授受を行うためのロッカー利用荷物授受方法において、
施錠／解錠が可能な利用が有料のロッカー装置（１００）と、荷受人側が使用する荷受人側移動通信機器（２００）と、荷主側が使用する荷主側移動通信機器（３００）とを有し、前記荷受人側移動通信機器（２００）と前記荷主側移動通信機器（３００）とは、遠距離通信網を介して通信可能であり、前記ロッカー装置（１００）と前記荷受人側移動通信機器（２００）および前記荷主側移動通信機器（３００）のそれぞれとは、近距離通信ラインを介して通信可能であるシステムに適用されるロッカー利用荷物授受方法であって、
前記ロッカー装置（１００）に適用される工程としては、
前記近距離通信ラインを介した前記荷受人側移動通信機器（２００）からのロッカーの施錠命令に基づいて、該荷受人側移動通信機器（２００）に、ロッカー基本利用料金を、前記近距離通信ラインを介して請求する基本料金請求工程（４）と、
前記近距離通信ラインを介した前記荷受人側移動通信機器（２００）からの決済情報を受信すると共に、決済するロッカー側決済工程（７）と、
前記ロッカー側決済工程（７）による決済報告に基づいて、ロッカーの施錠を行う施錠工程（２）と、
前記施錠工程（２）による施錠報告に基づいて、解錠の許可判断用の鍵情報を、前記荷受人側移動通信機器（２００）に前記近距離通信ラインを介して送信する鍵情報送信工程（３）と、
前記近距離通信ラインを介した前記荷受人側移動通信機器（２００）からの前記鍵情報を伴うロッカーの解錠命令を受信し、該鍵情報が合格である場合に、施錠から解錠までの全利用時間に基づくロッカー総利用額から前記ロッカー基本利用料金を差し引いてロッカー精算利用料金を算出すると共に、前記解錠要求を行った前記荷受人側移動通信機器（２００）に、該ロッカー精算利用料金を、前記近距離通信ラインを介して請求する精算料金請求工程（６）と、
前記ロッカー側決済工程（７）による決済報告に基づいて、ロッカーの解錠を行う解錠工程（５）とを有し、
前記解錠工程（５）では、前記近距離通信ラインを介した前記荷主側移動通信機器（３００）からの、前記鍵情報を加工して成る一回限りの解錠および一回限りの施錠の許可判断用のワンタイム鍵情報を伴うロッカーの解錠命令に基づいて、一回限りのロッカーの解錠をさらに行うものであり、
前記施錠工程（２）では、前記近距離通信ラインを介した前記荷主側移動通信機器（３００）からの前記ワンタイム鍵情報を伴うロッカーの施錠命令に基づいて、一回限りのロッカーの施錠をさらに行うものであることを特徴とするロッカー利用荷物授受方法。
【請求項１０】
利用が有料のロッカーを利用して荷物授受を行うためのロッカー利用荷物授受方法において、
施錠／解錠が可能な利用が有料のロッカー装置（１００）と、荷受人側が使用する荷受人側移動通信機器（２００）と、荷主側が使用する荷主側移動通信機器（３００）とを有し、前記荷受人側移動通信機器（２００）と前記荷主側移動通信機器（３００）とは、遠距離通信網を介して通信可能であり、前記ロッカー装置（１００）と前記荷受人側移動通信機器（２００）および前記荷主側移動通信機器（３００）のそれぞれとは、近距離通信ラインを介して通信可能であるシステムに適用されるロッカー利用荷物授受方法であって、
前記荷受人側移動通信機器（２００）に適用される工程としては、
前記ロッカー装置（１００）に対して、施錠命令および解錠命令を前記近距離通信ラインを介して送信するロッカー制御工程（９）と、
前記近距離通信ラインを介して前記ロッカー装置（１００）から請求されたロッカー基本利用料金およびロッカー精算利用料金を決済すると共に、当該決済報告を前記ロッカー装置（１００）に前記近距離通信ラインを介して送信する機器側決済工程（１３）と、
前記近距離通信ラインを介して前記ロッカー装置（１００）から解錠の許可判断用の鍵情報を受信すると、該鍵情報を加工してなる一回限りの解錠および一回限りの施錠の許可判断用のワンタイム鍵情報を生成するワンタイム鍵情報生成工程（１１）と、
ワンタイム鍵情報生成工程（１１）で生成した前記ワンタイム鍵情報と前記ロッカー装置（１００）の位置情報を、前記荷主側移動通信機器（３００）に前記遠距離通信網を介して送信するワンタイム鍵情報送信工程（１２）とを有することを特徴とするロッカー利用荷物授受方法。
【請求項１１】
利用が有料のロッカーを利用して荷物授受を行うためのロッカー利用荷物授受方法において、
施錠／解錠が可能な利用が有料のロッカー装置（１００）と、荷受人側が使用する荷受人側移動通信機器（２００）と、荷主側が使用する荷主側移動通信機器（３００）とを有し、前記荷受人側移動通信機器（２００）と前記荷主側移動通信機器（３００）とは、遠距離通信網を介して通信可能であり、前記ロッカー装置（１００）と前記荷受人側移動通信機器（２００）および前記荷主側移動通信機器（３００）のそれぞれとは、近距離通信ラインを介して通信可能であるシステムに適用されるロッカー利用荷物授受方法であって、
前記荷主側移動通信機器（３００）に適用される工程としては、
前記荷受人側移動通信機器（２００）から前記ワンタイム鍵情報を前記遠距離通信通信網を介して受信すると共に、前記ロッカー装置（１００）に対して該ワンタイム鍵情報を付加した施錠命令および該ワンタイム鍵情報を付加した解錠命令を前記近距離通信ラインを介して送信するワンタイムロッカー制御工程（１６）と、
前記ワンタイムロッカー制御工程（１６）で前記ロッカー装置（１００）を施錠すると、その旨を前記荷受人側移動通信機器（２００）に前記遠距離通信通信網を介して通知する施錠通知工程（１７）とを有することを特徴とするロッカー利用荷物授受方法。
【請求項１２】
請求項９に記載の前記ロッカー装置（１００）、請求項１０に記載の前記荷受人側移動通信機器（２００）、ならびに請求項１１に記載の前記荷主側移動通信機器（３００）のうちの少なくともいずれか２つに適用される工程を有するロッカー利用荷物授受方法。
【発明の詳細な説明】
【技術分野】
【０００１】
本発明は、近距離通信可能な携帯電話機等の移動通信機器および近距離通信可能かつロッカー利用料金が必要なロッカーを用い、荷主と荷受人との間での荷物の授受と、ロッカー利用料金の決済とを行うロッカー利用荷物授受プログラム、ロッカー利用荷物授受システム、およびロッカー利用荷物授受方法に関する。
【背景技術】
【０００２】
従来、このような通信機能をもったロッカーにおいては、移動通信機器を携帯した利用者がロッカーに荷物を預け、無線や赤外線を利用した近距離通信により施錠を行い、同様の手順で利用者が解錠を行い、ロッカー利用料金が電話会社などの決済機構や信販会社のクレジット決済などで行われていた。
【０００３】
例えば、エックスキューブ社のクロスキューブ（登録商標）などが製品化されている。このサービス（製品）は、非特許文献１に開示されている。また、同様の技術として、特許文献１には、「電子認証式ロッカーシステム」が開示されている。さらに、荷物受け渡しのかかる費用の決済の方式に関し、特許文献２には、「ロッカーによる自動決済システム」が開示されている。また、駅で商品等の受け渡しを行う方法として、特許文献３には、「駅を利用した物流システム」が開示されている。また、荷受人が鍵を保有するロッカーでの荷物受け渡しの方法として、特許文献４には、「荷物受渡し用ロッカー施錠管理システム」が開示されている。また、ＩＣカードなどの鍵情報でロッカーの鍵管理を行う技術として、特許文献５には、「宅配システムロッカー」が開示されている。
【０００４】
さらに、特許文献６には、「ロッカーシステム」が開示されている。その段落００２６〜００２７には、配送業者は受け取った配送業者アクセスコードを入力して開放し配送物を収納し、受領者は受け取った受領者アクセスコードを入力してロッカーを開放し配送物を受領することが開示されている。また、特許文献７には、「電子ロッカーシステム」が開示されている。その段落００２９〜００３３には、ロッカーは、基本使用料金あるいは基本使用料金を超えていれば追加料金を加算し、使用者との間でロッカー使用料の自動決済を行うことが開示されている。また、特許文献８には、「無人小売店システム及び商品購入方法」が開示されている。その段落００３６には、利用者端末から決済情報を受信し、決済が完了したら商品格納庫の鍵を解錠することが開示されている。また、特許文献９には、「集配箱装置の鍵情報発行取得方法」が開示されている。その段落００６７〜００６９には、携帯電話機は短距離無線対応機能や赤外線通信対応機能を有し、集配箱装置との間で通信を行い、開閉扉のロックを解錠することが開示されている。
【０００５】
【非特許文献１】エックスキューブ社のクロスキューブの説明ウェブページ：http://www.x-cube.co.jp/xcube01.html
【特許文献１】特開２００２−１５０４２５号公報
【特許文献２】特開２００２−１０９４４２号公報
【特許文献３】特開２００２−１９７３７５号公報
【特許文献４】特開２００２−２７６２２０号公報
【特許文献５】特開２００３−２４０４０５号公報
【特許文献６】特開２００２−０７８５９９号公報
【特許文献７】特開２００２−１５０４２４号公報
【特許文献８】特開２００２−２１６０４６号公報
【特許文献９】特開２００３−１３７４４０号公報
【発明の開示】
【発明が解決しようとする課題】
【０００６】
しかし、非特許文献１ならびに特許文献１〜５に開示された従来の方法には、次のような問題がある。
【０００７】
第１の問題点は、ロッカーの荷物の預け入れ、引き出しが携帯電話の所有者に限定されており、他者からの荷物の受け取りは不可能であった。
【０００８】
第２の問題点は、受取人があらかじめロッカーを解錠できるキーを所有している場合に限られており、ロッカーの専有もしくは、使用契約が前提となっており、多くの人が利用できるシステムではなかった。
【０００９】
第３の問題点は、どこのロッカーで荷物の受け渡しを行うか、配送者と荷受人との間で、場所を固定しなければならず、任意の駅のロッカーを受取場所として指定することができなかった。
【００１０】
第４の問題点は、ロッカーの利用料決済が現金、クレジットカードなど、通信機能以外の別の決済機能を持つ機器がロッカー側および荷受人に必要でありロッカー側は処理機能の追加、荷受人側は別の決済機能の準備が必要であった。
【００１１】
また、特許文献６に開示された技術は、ロッカー管理システムが、ロッカー、配送人、および荷受人間のキー生成および受渡を管理しており、ネットワーク上で稼働する管理システムを必要としており、構成が複雑である。さらに、特許文献７に開示された技術は、ロッカー使用料金をカードネットワーク会社経由で決済する必要があり、ネットワーク上で稼働する決済システムを保有する必要があり、構成が複雑である。また、特許文献８に開示された技術は、決済機関側の情報端末が必要でその間のネットワークを敷設する必要があり、構成が複雑である。また、特許文献９に開示された技術は、決済手段を有しておらず、通常行われるロッカーの延長料金加算などに対応できない。
【００１２】
それ故、本発明の課題は、荷主側（配送者）からの荷物受取を任意の場所にあるロッカーを用いて行えるようにすることを可能にするロッカー利用荷物授受プログラム、ロッカー利用荷物授受システム、およびロッカー利用荷物授受方法を提供することである。
【００１３】
本発明の他の課題は、ロッカーを介して荷物を荷受人が確実に受け取れるようにすることを可能にするロッカー利用荷物授受プログラム、ロッカー利用荷物授受システム、およびロッカー利用荷物授受方法を提供することである。
【００１４】
本発明のさらに他の課題は、ロッカーと移動通信機器との近距離通信機能でロッカーの施錠・解錠、ロッカー使用料金の決済、ならびに預入通知を簡易に実現することを可能にするロッカー利用荷物授受プログラム、ロッカー利用荷物授受システム、およびロッカー利用荷物授受方法を提供することである。
【課題を解決するための手段】
【００１５】
本発明によれば、利用が有料のロッカーを利用して荷物授受を行うためのロッカー利用荷物授受プログラムにおいて、施錠／解錠が可能な利用が有料のロッカー装置（１００）と、荷受人側が使用する荷受人側移動通信機器（２００）と、荷主側が使用する荷主側移動通信機器（３００）とを有し、荷受人側移動通信機器（２００）と荷主側移動通信機器（３００）とは、遠距離通信網を介して通信可能であり、ロッカー装置（１００）と荷受人側移動通信機器（２００）および荷主側移動通信機器（３００）のそれぞれとは、近距離通信ラインを介して通信可能であるシステムに適用されるロッカー利用荷物授受プログラムであって、ロッカー装置（１００）に適用される構成としては、
近距離通信ラインを介した荷受人側移動通信機器（２００）からのロッカーの施錠命令に基づいて、該荷受人側移動通信機器（２００）に、ロッカー基本利用料金を、近距離通信ラインを介して請求する基本料金請求部（４）と、近距離通信ラインを介した荷受人側移動通信機器（２００）からの決済情報を受信すると共に、決済するロッカー側決済部（７）と、ロッカー側決済部（７）からの決済報告に基づいて、ロッカーの施錠を行う施錠部（２）と、施錠部（２）からの施錠報告に基づいて、解錠の許可判断用の鍵情報を、荷受人側移動通信機器（２００）に近距離通信ラインを介して送信する鍵情報送信部（３）と、近距離通信ラインを介した荷受人側移動通信機器（２００）からの鍵情報を伴うロッカーの解錠命令を受信し、該鍵情報が合格である場合に、施錠から解錠までの全利用時間に基づくロッカー総利用額からロッカー基本利用料金を差し引いてロッカー精算利用料金を算出すると共に、解錠要求を行った荷受人側移動通信機器（２００）に、該ロッカー精算利用料金を、近距離通信ラインを介して請求する精算料金請求部（６）と、ロッカー側決済部（７）からの決済報告に基づいて、ロッカーの解錠を行う解錠部（５）とを有し、解錠部（５）は、近距離通信ラインを介した荷主側移動通信機器（３００）からの、鍵情報を加工して成る一回限りの解錠および一回限りの施錠の許可判断用のワンタイム鍵情報を伴うロッカーの解錠命令に基づいて、一回限りのロッカーの解錠をさらに行うものであり、施錠部（２）は、近距離通信ラインを介した荷主側移動通信機器（３００）からのワンタイム鍵情報を伴うロッカーの施錠命令に基づいて、一回限りのロッカーの施錠をさらに行うものであることを特徴とするロッカー利用荷物授受プログラムが得られる。
【００１６】
本発明によれば、利用が有料のロッカーを利用して荷物授受を行うためのロッカー利用荷物授受プログラムにおいて、施錠／解錠が可能な利用が有料のロッカー装置（１００）と、荷受人側が使用する荷受人側移動通信機器（２００）と、荷主側が使用する荷主側移動通信機器（３００）とを有し、荷受人側移動通信機器（２００）と荷主側移動通信機器（３００）とは、遠距離通信網を介して通信可能であり、ロッカー装置（１００）と荷受人側移動通信機器（２００）および荷主側移動通信機器（３００）のそれぞれとは、近距離通信ラインを介して通信可能であるシステムに適用されるロッカー利用荷物授受プログラムであって、荷受人側移動通信機器（２００）に適用される構成としては、ロッカー装置（１００）に対して、施錠命令および解錠命令を近距離通信ラインを介して送信可能なロッカー制御部（９）と、近距離通信ラインを介してロッカー装置（１００）から請求されたロッカー基本利用料金およびロッカー精算利用料金を決済すると共に、当該決済報告をロッカー装置（１００）に近距離通信ラインを介して送信する機器側決済部（１３）と、近距離通信ラインを介してロッカー装置（１００）から解錠の許可判断用の鍵情報を受信すると、該鍵情報を加工してなる一回限りの解錠および一回限りの施錠の許可判断用のワンタイム鍵情報を生成するワンタイム鍵情報生成部（１１）と、ワンタイム鍵情報生成部（１１）が生成したワンタイム鍵情報とロッカー装置（１００）の位置情報を、荷主側移動通信機器（３００）に遠距離通信網を介して送信するワンタイム鍵情報送信部（１２）とを有することを特徴とするロッカー利用荷物授受プログラムが得られる。
【００１７】
本発明によれば、利用が有料のロッカーを利用して荷物授受を行うためのロッカー利用荷物授受プログラムにおいて、施錠／解錠が可能な利用が有料のロッカー装置（１００）と、荷受人側が使用する荷受人側移動通信機器（２００）と、荷主側が使用する荷主側移動通信機器（３００）とを有し、荷受人側移動通信機器（２００）と荷主側移動通信機器（３００）とは、遠距離通信網を介して通信可能であり、ロッカー装置（１００）と荷受人側移動通信機器（２００）および荷主側移動通信機器（３００）のそれぞれとは、近距離通信ラインを介して通信可能であるシステムに適用されるロッカー利用荷物授受プログラムであって、荷主側移動通信機器（３００）に適用される構成としては、荷受人側移動通信機器（２００）からワンタイム鍵情報を遠距離通信通信網を介して受信すると共に、ロッカー装置（１００）に対して該ワンタイム鍵情報を付加した施錠命令および該ワンタイム鍵情報を付加した解錠命令を近距離通信ラインを介して送信可能なワンタイムロッカー制御部（１６）と、ワンタイムロッカー制御部（１６）がロッカー装置（１００）を施錠すると、その旨を荷受人側移動通信機器（２００）に遠距離通信通信網を介して通知する施錠通知部（１７）とを有することを特徴とするロッカー利用荷物授受プログラムが得られる。
【００１８】
本発明によれば、前記ロッカー装置（１００）、前記荷受人側移動通信機器（２００）、ならびに前記荷主側移動通信機器（３００）のうちの少なくともいずれか２つに適用されるロッカー利用荷物授受プログラムを有するロッカー利用荷物授受プログラムが得られる。
【００１９】
本発明によれば、利用が有料のロッカーを利用して荷物授受を行うためのロッカー利用荷物授受システムに適用されるロッカー装置（１００）において、施錠／解錠が可能な利用が有料のロッカー装置（１００）と、荷受人側が使用する荷受人側移動通信機器（２００）と、荷主側が使用する荷主側移動通信機器（３００）とを有し、荷受人側移動通信機器（２００）と荷主側移動通信機器（３００）とは、遠距離通信網を介して通信可能であり、ロッカー装置（１００）と荷受人側移動通信機器（２００）および荷主側移動通信機器（３００）のそれぞれとは、近距離通信ラインを介して通信可能であるシステムに適用されるロッカー装置（１００）であって、近距離通信ラインを介した荷受人側移動通信機器（２００）からのロッカーの施錠命令に基づいて、該荷受人側移動通信機器（２００）に、ロッカー基本利用料金を、近距離通信ラインを介して請求する基本料金請求部（４）と、近距離通信ラインを介した荷受人側移動通信機器（２００）からの決済情報を受信すると共に、決済するロッカー側決済部（７）と、ロッカー側決済部（７）からの決済報告に基づいて、ロッカーの施錠を行う施錠部（２）と、施錠部（２）からの施錠報告に基づいて、解錠の許可判断用の鍵情報を、荷受人側移動通信機器（２００）に近距離通信ラインを介して送信する鍵情報送信部（３）と、近距離通信ラインを介した荷受人側移動通信機器（２００）からの鍵情報を伴うロッカーの解錠命令を受信し、該鍵情報が合格である場合に、施錠から解錠までの全利用時間に基づくロッカー総利用額からロッカー基本利用料金を差し引いてロッカー精算利用料金を算出すると共に、解錠要求を行った荷受人側移動通信機器（２００）に、該ロッカー精算利用料金を、近距離通信ラインを介して請求する精算料金請求部（６）と、ロッカー側決済部（７）からの決済報告に基づいて、ロッカーの解錠を行う解錠部（５）とを有し、解錠部（５）は、近距離通信ラインを介した荷主側移動通信機器（３００）からの、鍵情報を加工して成る一回限りの解錠および一回限りの施錠の許可判断用のワンタイム鍵情報を伴うロッカーの解錠命令に基づいて、一回限りのロッカーの解錠をさらに行うものであり、施錠部（２）は、近距離通信ラインを介した荷主側移動通信機器（３００）からのワンタイム鍵情報を伴うロッカーの施錠命令に基づいて、一回限りのロッカーの施錠をさらに行うものであることを特徴とするロッカー装置（１００）が得られる。
【００２０】
本発明によれば、利用が有料のロッカーを利用して荷物授受を行うためのロッカー利用荷物授受方法において、施錠／解錠が可能な利用が有料のロッカー装置（１００）と、荷受人側が使用する荷受人側移動通信機器（２００）と、荷主側が使用する荷主側移動通信機器（３００）とを有し、荷受人側移動通信機器（２００）と荷主側移動通信機器（３００）とは、遠距離通信網を介して通信可能であり、ロッカー装置（１００）と荷受人側移動通信機器（２００）および荷主側移動通信機器（３００）のそれぞれとは、近距離通信ラインを介して通信可能であるシステムに適用されるロッカー利用荷物授受方法であって、ロッカー装置（１００）に適用される工程としては、近距離通信ラインを介した荷受人側移動通信機器（２００）からのロッカーの施錠命令に基づいて、該荷受人側移動通信機器（２００）に、ロッカー基本利用料金を、近距離通信ラインを介して請求する基本料金請求工程（４）と、近距離通信ラインを介した荷受人側移動通信機器（２００）からの決済情報を受信すると共に、決済するロッカー側決済工程（７）と、ロッカー側決済工程（７）による決済報告に基づいて、ロッカーの施錠を行う施錠工程（２）と、施錠工程（２）による施錠報告に基づいて、解錠の許可判断用の鍵情報を、荷受人側移動通信機器（２００）に近距離通信ラインを介して送信する鍵情報送信工程（３）と、近距離通信ラインを介した荷受人側移動通信機器（２００）からの鍵情報を伴うロッカーの解錠命令を受信し、該鍵情報が合格である場合に、施錠から解錠までの全利用時間に基づくロッカー総利用額からロッカー基本利用料金を差し引いてロッカー精算利用料金を算出すると共に、解錠要求を行った荷受人側移動通信機器（２００）に、該ロッカー精算利用料金を、近距離通信ラインを介して請求する精算料金請求工程（６）と、ロッカー側決済工程（７）による決済報告に基づいて、ロッカーの解錠を行う解錠工程（５）とを有し、解錠工程（５）では、近距離通信ラインを介した荷主側移動通信機器（３００）からの、鍵情報を加工して成る一回限りの解錠および一回限りの施錠の許可判断用のワンタイム鍵情報を伴うロッカーの解錠命令に基づいて、一回限りのロッカーの解錠をさらに行うものであり、施錠工程（２）では、近距離通信ラインを介した荷主側移動通信機器（３００）からのワンタイム鍵情報を伴うロッカーの施錠命令に基づいて、一回限りのロッカーの施錠をさらに行うものであることを特徴とするロッカー利用荷物授受方法が得られる。
【発明の効果】
【００２１】
第１の効果は、ロッカーの解錠、施錠を荷主側（配送者）にも可能としたため、確保荷物の預け入れ、引き出しが移動通信機器の所有者に限定されず、配送者からの荷物の受け取りが可能となったことである。
【００２２】
第２の効果は、誰もが使えるロッカーを荷受人が一時的に確保することができ、その確保中に荷物の引き渡しが完了し、荷物の引き渡しが完了すると、ロッカーは解放されるので、ロッカーの専有もしくは使用契約が前提といったことがなくなり、多くの人が共用で利用できることである。
【００２３】
第３の効果は、荷受人が指定した任意のロッカーで荷物の受け渡しができるため、荷受人の都合の良いロッカーを指定可能となり、結果として、荷受人の便宜を図ることができる。また、荷受人が空きのロッカーを確保することが前提となるので、ロッカーが全て使用中で荷物の受け渡しが行えなくなる事態を回避できる。
【００２４】
第４の効果は、ロッカーの決済に行使できる決済価値（電子バリュー）を荷受人側移動通信機器内に保有し、これをロッカーとの間で通信により決済することで、ロッカー側に電子バリューが移動するだけで決済が完了することである。ロッカーに蓄積された電子バリューは、オンライン手段によらなくても、例えば月１回の回収員巡回によって回収することができ、オンライン決済手段を持たなくても実現できる。つまり、ロッカーの利用料決済が移動通信機器が持つ決済機能とロッカーの決済機能との間で完結するため、ロッカーと移動通信機器の間で１対１の通信手段を用意すればよく、ロッカーの施錠、解錠時に、余分な現金、クレジットカードなど、通信機能以外の別の決済機能を持つ機器がロッカー側および荷受人に不要となる。結果的に、ロッカーと移動通信機器間で簡単な通信だけで決済が完了し、決済操作時間の短縮も可能となる。
【発明を実施するための最良の形態】
【００２５】
以下、図面を参照して、本発明によるロッカー利用荷物授受プログラム、ロッカー利用荷物授受システム、およびロッカー利用荷物授受方法について説明する。
【００２６】
本例は、荷受人側移動通信機器２００を荷受人、荷主側移動通信機器３００を配送人が所持し、任意のロッカー装置１００を介して荷物の受取を実行する場合である。
【００２７】
図１を参照して、ロッカー利用荷物授受システムは、ロッカー装置１００と、荷受人側の荷受人側移動通信機器２００と、荷主（配送人）側の荷主側移動通信機器３００とを有している。
【００２８】
図２を参照して、本ロッカー利用荷物授受プログラムおよび方法においては、まず、配送人は、荷主側移動通信機器３００を用いて、荷受人の荷受人側移動通信機器２００に対し送るべき荷物があることを知らせる。知らせる方法として、電話でもよいし、電子メール等の通知手段でもよい。
【００２９】
次に、荷受人は、自分が受取を実施したいロッカー装置１００のうちの空きのロッカーに対して近距離通信によって施錠を行う。尚、空きのロッカーは、所謂コインロッカーと同様に、扉が解錠された状態であり、内部は、空の状態である。よって、施錠されたロッカーの内部も空の状態である。
【００３０】
ロッカー装置１００は、ロッカーの鍵をかけ、荷受人側移動通信機器２００に対して、近距離通信によって鍵情報を送信する。同じタイミングで、荷受人側移動通信機器２００に対して、例えば１日分のロッカー利用料金を請求する。
【００３１】
移動通信機器２００は、既知の電子決済手段によって、最初の料金（基本料金）の支払いを済ませる。次に、荷受人側移動通信機器２００はワンタイム鍵情報を生成し、遠距離通信によって配送人の荷主側移動通信機器３００に対し、このワンタイム鍵情報とロッカー装置１００の位置情報を送信する。このワンタイム鍵情報は、荷受人がロッカー装置１００を使用中であっても、１回だけ該ロッカーの解錠と施錠を実施できる鍵情報である。この情報の送受信は、移動通信機器間で通信可能なプロトコルで実施され、例えばインターネットを用いて鍵情報をデータとしてセキュリティ策を施した上で受け渡すことができるものとする。
【００３２】
次に、ワンタイム鍵情報とロッカーの位置情報を受信した荷主側移動通信機器３００を所持する配送人は、指定されたロッカー装置１００の場所まで行き、近距離通信よって、該ロッカーの解錠を行う。荷物をロッカー装置１００に収納した後、ロッカー装置１００をワンタイム制御により施錠する。このとき、移動通信機器からは、荷受人の荷受人側移動通信機器２００に施錠通知が送信される。
【００３３】
次に、施錠通知を配送人から受信した荷受人側移動通信機器２００を所持する荷受人は、その後、荷受人側移動通信機器２００にある鍵情報を用いてロッカー解錠の指示を近距離通信によって送信する。
【００３４】
この信号を受信したロッカー装置１００は、利用日数分の利用料金を計算し、最初に基本料金請求部で請求した金額との差額があれば、荷受人側移動通信機器２００に対して近距離通信よって差額請求を行う。
【００３５】
荷受人側移動通信機器２００は、この差額請求を既知の電子決済手段によって決済し、決済した旨の情報をロッカー装置１００に返信する。
【００３６】
ロッカー装置１００は、この決済情報を受信すると、決済が完了したとの判断をし、ロッカーを解錠する。
【００３７】
荷受人側移動通信機器２００を所持する荷受人は、ロッカー装置１００から荷物を取り出すことができる。
【実施例１】
【００３８】
以下、図面を参照して、本発明の実施例によるロッカー利用荷物授受プログラム、ロッカー利用荷物授受システム、およびロッカー利用荷物授受方法について説明する。
【００３９】
図１を参照して、本発明の実施例によるロッカー利用荷物授受システムは、施錠／解錠が可能な利用が有料のロッカー装置１００と、荷受人側が使用する荷受人側移動通信機器２００と、荷主側が使用する荷主側移動通信機器３００とを有している。荷受人側移動通信機器２００と荷主側移動通信機器３００とは、遠距離通信網を介して通信可能である。また、ロッカー装置１００と荷受人側移動通信機器２００および荷主側移動通信機器３００のそれぞれとは、近距離通信ラインを介して通信可能である。
【００４０】
ロッカー装置１００は、接点接触式コネクタ等の有線もしくは無線電波、赤外線、電磁誘導等の無線の近距離通信手段１と、近距離通信ラインを介した荷受人側移動通信機器２００からのロッカーの施錠命令に基づいて、荷受人側移動通信機器２００に、ロッカー基本利用料金を、近距離通信ラインを介して請求する基本料金請求部４と、近距離通信ラインを介した荷受人側移動通信機器２００からの決済情報を受信すると共に、決済するロッカー側決済部７と、ロッカー側決済部７からの決済報告に基づいて、ロッカーの施錠を行う施錠部２と、施錠部２からの施錠報告に基づいて、解錠の許可判断用の鍵情報を、荷受人側移動通信機器２００に近距離通信ラインを介して送信する鍵情報送信部３と、近距離通信ラインを介した荷受人側移動通信機器２００からの鍵情報を伴うロッカーの解錠命令を受信し、鍵情報が合格である場合に、施錠から解錠までの全利用時間に基づくロッカー総利用額からロッカー基本利用料金を差し引いてロッカー精算利用料金を算出すると共に、解錠要求を行った荷受人側移動通信機器２００に、ロッカー精算利用料金を、近距離通信ラインを介して請求する精算料金請求部６と、ロッカー側決済部７からの決済報告に基づいて、ロッカーの解錠を行う解錠部５とを有している。
【００４１】
尚、解錠部５は、近距離通信ラインを介した荷主側移動通信機器３００からの、鍵情報を加工して成る一回限りの解錠および一回限りの施錠の許可判断用のワンタイム鍵情報を伴うロッカーの解錠命令に基づいて、一回限りのロッカーの解錠をさらに行う。
【００４２】
また、施錠部２は、近距離通信ラインを介した荷主側移動通信機器３００からのワンタイム鍵情報を伴うロッカーの施錠命令に基づいて、一回限りのロッカーの施錠をさらに行う。
【００４３】
荷受人側移動通信機器２００は、接点接触式コネクタ等の有線もしくは無線電波、赤外線、電磁誘導等の無線の近距離通信手段８と、電話回線やインターネット回線等の遠距離通信手段１０と、ロッカー装置１００に対して、施錠命令および解錠命令を近距離通信ラインを介して送信可能なロッカー制御部９と、近距離通信ラインを介してロッカー装置１００から請求されたロッカー基本利用料金およびロッカー精算利用料金を決済すると共に、当決済報告をロッカー装置１００に近距離通信ラインを介して送信する機器側決済部１３と、近距離通信ラインを介してロッカー装置１００から解錠の許可判断用の鍵情報を受信すると、鍵情報を加工してなる一回限りの解錠および一回限りの施錠の許可判断用のワンタイム鍵情報を生成するワンタイム鍵情報生成部１１と、ワンタイム鍵情報生成部１１が生成したワンタイム鍵情報とロッカー装置１００の位置情報を、荷主側移動通信機器３００に遠距離通信網を介して送信するワンタイム鍵情報送信部１２とを有している。
【００４４】
荷主側移動通信機器３００は、荷受人側移動通信機器２００は、接点接触式コネクタ等の有線もしくは無線電波、赤外線、電磁誘導等の無線の近距離通信手段１５と、電話回線やインターネット回線等の遠距離通信手段１４と、荷受人側移動通信機器２００からワンタイム鍵情報を遠距離通信通信網を介して受信すると共に、ロッカー装置１００に対してワンタイム鍵情報を付加した施錠命令およびワンタイム鍵情報を付加した解錠命令を近距離通信ラインを介して送信可能なワンタイムロッカー制御部１６と、ワンタイムロッカー制御部１６がロッカー装置１００を施錠すると、その旨を荷受人側移動通信機器２００に遠距離通信通信網を介して通知する施錠通知部１７とを有している。
【００４５】
以下、図面を参照して、本発明の実施例によるロッカー利用荷物授受プログラム、ロッカー利用荷物授受方法について説明する。本例は、荷受人側移動通信機器２００を荷受人、荷主側移動通信機器３００を荷主（配送人）が所持し、任意のロッカー装置１００を介して荷物の受取を実行する場合である。
【００４６】
図１および図２を参照して、本発明の実施例によるロッカー利用荷物授受プログラムおよび方法においては、まず、配送人は荷主側移動通信機器３００を用いて、荷受人の荷受人側移動通信機器２００に対し送るべき荷物があることを知らせる。知らせる方法として、電話でもよいし、電子メール等の通知部でもよい。即ち、荷主側移動通信機器３００の遠距離通信手段１４は、遠距離通信網を介して、荷受人側移動通信機器２００に配送通知をする。
【００４７】
次に、荷受人は自分が受取を実施したいロッカー装置１００の場所で、荷受人側移動通信機器２００によって、ロッカー装置１００に対し、近距離通信手段８とロッカー制御部を用いて、ロッカー装置１００の施錠要求を行う。このときロッカー装置１００は空の状態である。即ち、荷受人側移動通信機器２００のロッカー制御部９は、ロッカー装置１００に対して、施錠命令を近距離通信手段８および近距離通信ラインを介して送信する。
【００４８】
ロッカー装置１００は、荷受人側移動通信機器２００に対し基本料金請求部４を用いて、例えば１日分のロッカー利用料金を請求する。即ち、ロッカー装置１００の基本料金請求部４は、近距離通信ラインおよび近距離通信手段１を介した荷受人側移動通信機器２００からのロッカーの施錠命令に基づいて、荷受人側移動通信機器２００に、ロッカー基本利用料金を、近距離通信手段１および近距離通信ラインを介して請求する。
【００４９】
移動通信機器２００は、機器側決済部１３により、支払いを済ませる。即ち、移動通信機器２００の機器側決済部１３は、近距離通信ラインおよび近距離通信手段８を介してロッカー装置１００から請求されたロッカー基本利用料金を決済すると共に、その決済報告でもある決済情報をロッカー装置１００に近距離通信手段８および近距離通信ラインを介して送信する。尚、基本的な電子決済の方法については、既知のことであるため、説明は省略する。
【００５０】
ロッカー装置１００は、移動通信機器２００が支払いを済ませると、施錠部を用いてロッカーの鍵をかける。即ち、ロッカー装置１００のロッカー側決済部７は、近距離通信ラインおよび近距離通信手段１を介した荷受人側移動通信機器２００からの決済情報を受信すると共に、決済処理をする。次いで、ロッカー装置１００の施錠部２は、ロッカー側決済部７からの決済報告に基づいて、ロッカーの施錠を行う。
【００５１】
これと同じタイミングで、ロッカー装置１００は、荷受人側移動通信機器２００に対し鍵情報送信部３と近距離通信手段１を用いて鍵情報を送信する。即ち、ロッカー装置１００の鍵情報送信部３は、施錠部２からの施錠報告に基づいて、解錠の許可判断用の鍵情報を、荷受人側移動通信機器２００に距離通信手段１および近距離通信ラインを介して送信する。
【００５２】
次に、荷受人側移動通信機器２００は、ワンタイム鍵情報をワンタイム鍵情報生成部１１を用いて生成し、ワンタイム鍵情報送信部１２と遠距離通信手段１０により配送人の荷主側移動通信機器３００に対し、このワンタイム鍵情報とロッカー装置１００の位置情報を送信する。このワンタイム鍵情報は、荷受人がロッカー装置１００を使用中であっても、１回だけ該ロッカーの解錠と施錠を実施できる鍵情報である。この情報の送受信は、移動通信機器間で通信可能なプロトコルで実施され、例えばインターネットを用いて鍵情報をデータとして受け渡すことができるものとする。即ち、荷受人側移動通信機器２００のワンタイム鍵情報生成部１１は、近距離通信ラインおよび近距離通信手段８を介してロッカー装置１００から解錠の許可判断用の鍵情報を受信すると、この鍵情報を加工してなる一回限りの解錠および一回限りの施錠の許可判断用のワンタイム鍵情報を生成する。次いで、荷受人側移動通信機器２００のワンタイム鍵情報送信部１２は、ワンタイム鍵情報生成部１１が生成したワンタイム鍵情報とロッカー装置１００の位置情報とを、荷主側移動通信機器３００に遠距離通信手段１０および遠距離通信網を介して送信する。
【００５３】
次に、ワンタイム鍵情報とロッカーの位置情報を荷主側移動通信機器３００によって受信した配送人は、指定されたロッカー装置１００の場所まで行き、ワンタイムロッカー制御部１６と近距離通信手段１５を用いて、該当するロッカーの解錠を行う。荷物をロッカー装置１００に収納した後、ロッカー装置１００をワンタイムロッカー制御部により施錠する。このとき、施錠通知部１７により荷受人の荷受人側移動通信機器２００に施錠通知が送信される。即ち、荷主側移動通信機器３００のワンタイムロッカー制御部１６は、荷受人側移動通信機器２００からワンタイム鍵情報を遠距離通信通信網および遠距離通信手段１４を介して受信すると共に、ロッカー装置１００に対してワンタイム鍵情報を付加した解錠命令を近距離通信手段１５および近距離通信ラインを介して送信する。一方、ロッカー装置１００の解錠部５は、近距離通信ラインおよび近距離通信手段１を介した荷主側移動通信機器３００からの、ワンタイム鍵情報を伴うロッカーの解錠命令に基づいて、一回限りのロッカーの解錠を行う。配送人は、ロッカー装置１００の解錠された該当ロッカー内に荷物を収納する。荷主側移動通信機器３００のワンタイムロッカー制御部１６は、ロッカー装置１００に対してワンタイム鍵情報を付加した施錠命令を近距離通信手段１５および近距離通信ラインを介して送信する。一方、ロッカー装置１００の施錠部２は、近距離通信ラインおよび近距離通信手段１を介した荷主側移動通信機器３００からの、ワンタイム鍵情報を伴うロッカーの施錠命令に基づいて、一回限りのロッカーの施錠を行う。次いで、荷主側移動通信機器３００の施錠通知部１７は、ワンタイムロッカー制御部１６がロッカー装置１００を施錠すると、その旨を荷受人側移動通信機器２００に遠距離通信手段１４および遠距離通信通信網を介して通知する。
【００５４】
次に、施錠通知を配送人の荷主側移動通信機器３００から荷受人側移動通信機器２００によって受信した荷受人は、荷受人側移動通信機器２００にある鍵情報を用いてロッカー制御部９によりロッカーの解錠要求を近距離通信手段８を用いて送信する。即ち、荷受人側移動通信機器２００のロッカー制御部９は、ロッカー装置１００に対して、鍵情報を付加した解錠命令を近距離通信手段８および近距離通信ラインを介して送信する。
【００５５】
この信号を受信したロッカー装置１００は、精算料金請求部６で利用日数分の利用料金を計算し、最初に基本料金請求部で請求した金額との差額があれば、荷受人側移動通信機器２００に近距離通信手段１を用いて差額請求を行う。即ち、ロッカー装置１００の精算料金請求部６は、近距離通信ラインおよび近距離通信手段１を介した荷受人側移動通信機器２００からの鍵情報を伴うロッカーの解錠命令を受信し、鍵情報が合格である場合に、施錠から解錠までの全利用時間に基づくロッカー総利用額からロッカー基本利用料金を差し引いてロッカー精算利用料金を算出すると共に、解錠要求を行った荷受人側移動通信機器２００に、ロッカー精算利用料金を、近距離通信手段１および近距離通信ラインを介して請求する。
【００５６】
荷受人側移動通信機器２００は、この差額請求を機器側決済部１３により決済し、決済した旨の情報をロッカー装置１００に返信する。即ち、荷受人側移動通信機器２００の機器側決済部１３は、近距離通信ラインおよび近距離通信手段８を介してロッカー装置１００から請求されたロッカー精算利用料金を決済すると共に、当決済報告をロッカー装置１００に近距離通信手段８および近距離通信ラインを介して送信する。
【００５７】
ロッカー装置１００は、この決済情報を受信すると、ロッカー側決済部７により、決済が完了したとの判断をし、ロッカーを解錠する。即ち、ロッカー装置１００のロッカー側決済部７は、近距離通信ラインおよび近距離通信手段１を介した荷受人側移動通信機器２００からのロッカー精算利用料金についての決済情報を受信すると共に、決済処理をする。次いで、ロッカー装置１００の解錠部５は、ロッカー側決済部７からの決済報告に基づいて、ロッカーの解錠を行う。
【００５８】
そして、荷受人側移動通信機器２００を所持する荷受人は、ロッカー装置１００のうちの解錠された該当ロッカー内から荷物を取り出すことができる。
【００５９】
尚、ロッカー装置１００、荷受人側移動通信機器２００、および荷主側移動通信機器３００の各部は、記録媒体等に記録されたソフトウエアプログラムで構成することが可能である。
【００６０】
また、本発明によるロッカー利用荷物授受方法は本発明によるロッカー利用荷物授受のための装置およびシステムならびにプログラムによる動作によって実行され得るが、本発明によるロッカー利用荷物授受方法は、これらに限定されるものではなく、他の手段によって実行してもよい。
【産業上の利用可能性】
【００６１】
以上、本発明の実施例について説明してきたが、本発明はこれら実施例に限定されるものではなく、当該特許請求の範囲に記載された技術範囲内であれば、種々の変形が可能であることは云うまでもない。例えば、本発明は、個人宅以外の場所での個人向け宅配サービスといった用途に適用できる。
【図面の簡単な説明】
【００６２】
【図１】本発明によるロッカー利用荷物授受システムにおける各装置および／または装置に適用されるプログラムの構成を示すブロック図である。
【図２】本発明の実施例によるロッカー利用荷物授受プログラム、方法のフローを示す図である。
【符号の説明】
【００６３】
１  近距離通信手段
２  施錠部
３  鍵情報送信部
４  基本料金請求部
５  解錠部
６  精算料金請求部
７  ロッカー側決済部
８  近距離通信手段
９  ロッカー制御部
１０  遠距離通信手段
１１  ワンタイム鍵情報生成部
１２  ワンタイム鍵情報送信部
１３  機器側決済部
１４  遠距離通信手段
１５  近距離通信手段
１６  ワンタイムロッカー制御部
１７  施錠通知部
１００  ロッカー装置
２００  荷受人側移動通信機器
３００  荷主側移動通信機器
【図１】
2005267565.tif 000003
【図２】
2005267565.tif 000004